(57)【要約】      （修正有）【課題】構造が簡単で、使用材料が少なく、重さがより軽く、消費者が携帯しやすく、組立てやすい折り畳みベッドを提供する。【解決手段】ベッド上面１と、ベッドのサイドロッド２と、脚部材３と、を備え、サイドロッドが平行してベッド上面の長辺の両側に設けられるとともに接続され、脚部材が複数組であり、均一にベッド上面の下に設けられてサイドロッドと係着され、対向して設けられ接続される第１、第２部材を備える。第１、第２部材のＬ型支持ロッドとヒンジ接合されたＣ型緊結材を回転させ、Ｃ型緊結材間の間隔を変更することで、ベッド上面をぴんと張り、ロックフックがトーションスプリングを介して自動的にロック固定部材を引っ掛けてロックを実現する。【選択図】図１
0003225623.tif 000002
【実用新案登録請求の範囲】
【請求項１】
ベッド上面と、ベッドのサイドロッドと、脚部材と、を備える組立てやすい折り畳みベッドであって、前記ベッドのサイドロッドが平行してベッド上面の長辺の両側に設けられるとともにそれと接続され、前記脚部材が複数組であり、均一にベッド上面の下に設けられるとともにベッドのサイドロッドと係着され、対向して設けられ接続される第１部材と、第２部材と、を備え、前記第１部材がＣ型緊結材Ａと、Ｃ型緊結材Ａの一側に固定連結されるＬ型支持ロッドＡと、Ｃ型緊結材Ａの底部に連結される支持脚Ａと、を備え、前記第２部材がＣ型緊結材Ｂと、Ｃ型緊結材Ｂの一側にヒンジ接合されるＬ型支持ロッドＢと、Ｃ型緊結材Ｂの底部に連結される支持脚Ｂと、を備え、前記Ｌ型支持ロッドＡとＬ型支持ロッドＢの対向する一端が弾性糸を介して連結され、前記第２部材に、ロック固定部材と、ロックフックと、トーションスプリングとがさらに設けられており、前記Ｃ型緊結材Ｂの頂部とＬ型支持ロッドＢの端部がヒンジ接合され、その底部にトーションスプリングを介してロックフックがヒンジ接合されており、前記ロック固定部材がＬ型支持ロッドＢに設けられロックフックの位置と対応することで、前記ロックフックがトーションスプリングのトルクに付勢されてロック固定部材と係着ロックされることを特徴とする、組立てやすい折り畳みベッド。
【請求項２】
前記Ｃ型緊結材Ａの頂部がベッドのサイドロッドと係着されるＣ型溝Ａであり、その底部が支持脚ドＡと挿着される円筒溝Ａであり、その内側にＬ型支持ロッドＡと連結される係着溝Ａが設けられており、前記係着溝Ａが側面板が三角形の形状に設けられる中空の台形溝であり、前記Ｌ型支持ロッドの端部と挿嵌固着されることを特徴とする、請求項１に記載の組立てやすい折り畳みベッド。
【請求項３】
前記Ｃ型緊結材Ｂの頂部がベッドのサイドロッドと係着されるＣ型溝Ｂであり、その底部が支持脚Ｂと挿着される円筒型溝Ｂであり、その内側にＬ型支持ロッドＢと連結される係着溝Ｂが設けられており、前記係着溝Ｂが側面板が２つのＣ型プレートが連結されるように設けられた中空溝であり、Ｃ型溝Ｂに近接する一端に、Ｌ型支持ロッドＢとヒンジ接合されるためのヒンジ接合孔Ａが設けられており、他端に、ロックフック、トーションスプリングとヒンジ接合されるためのヒンジ接合孔Ｂが設けられていることを特徴とする、請求項１に記載の組立てやすい折り畳みベッド。
【請求項４】
前記Ｃ型緊結材Ａ、Ｃ型緊結材Ｂ中のＣ型溝Ａ、Ｃ型溝Ｂが前記ベッドのサイドロッドに係合され、その切り欠きが、それぞれ、Ｃ型緊結材Ａ、Ｃ型緊結材ＢにおけるＬ型支持ロッドＡ、Ｌ型支持ロッドＢから離れる一端に向かうことを特徴とする、請求項１に記載の組立てやすい折り畳みベッド。
【請求項５】
前記支持ロッドＡ及び前記支持脚Ｂが互いに平行である円筒状であり、その底部にすべて滑り止めマットが設けられていることを特徴とする、請求項１に記載の組立てやすい折り畳みベッド。
【請求項６】
前記Ｌ型支持ロッドＡ及び前記Ｌ型支持ロッドＢが中空構造であり、その内部が弾性糸を介して挿着され、前記Ｌ型支持ロッドＡの端部にＬ型支持ロッドＢと連結される挿入ロッド端が設けられていることを特徴とする、請求項１に記載の組立てやすい折り畳みベッド。
【請求項７】
前記第１部材及び前記第２部材がベッドのサイドロッドと垂直である同一平面上に配置されることを特徴とする、請求項１に記載の組立てやすい折り畳みベッド。
【考案の詳細な説明】
【技術分野】
【０００１】
本考案は、ベッドの技術分野に関し、詳しくは組立てやすい折り畳みベッドに関する。
【背景技術】
【０００２】
折り畳みベッドは関節の原理を用いて設計されるものであり、便宜や体積空間節約のために、各種の折り畳み方式で折り畳んで収納することが可能である簡易ベッドである。折り畳んで袋詰めした後、体積が小さく、携帯しやすいという特徴がある。人々の生活レベルの向上に伴い、野外レクリエーション、キャンピング等の場合、折り畳みベッドが多く用いられている。技術の発展に伴い、折り畳みベッドに対する要求がますます高くなってきており、折り畳みベッドを使用することや折り畳むことが一層便利になり、その重さが軽くなることが望まれている。
【考案の概要】
【０００３】
上記技術的課題を解決するために、本考案は以下の技術方案を提供する。ベッド上面と、ベッドのサイドロッドと、脚部材と、を備える組立てやすい折り畳みベッドであって、前記ベッドのサイドロッドが平行してベッド上面の長辺の両側に設けられるとともにそれと接続され、前記脚部材が複数組であり、均一にベッド上面の下に設けられるとともにベッドのサイドロッドと係着され、対向して設けられ接続される第１部材と、第２部材と、を備え、前記第１部材がＣ型緊結材Ａと、Ｃ型緊結材Ａの一側に固定連結されるＬ型支持ロッドＡと、Ｃ型緊結材Ａの底部に連結される支持脚Ａと、を備え、前記第２部材がＣ型緊結材Ｂと、Ｃ型緊結材Ｂの一側にヒンジ接合されるＬ型支持ロッドＢと、Ｃ型緊結材Ｂの底部に連結される支持脚Ｂと、を備え、前記Ｌ型支持ロッドＡとＬ型支持ロッドＢの対向する一端が弾性糸を介して連結され、前記第２部材に、ロック固定部材と、ロックフックと、トーションスプリングとがさらに設けられており、前記Ｃ型緊結材Ｂの頂部とＬ型支持ロッドＢの端部がヒンジ接合され、その底部にトーションスプリングを介してロックフックがヒンジ接合されており、前記ロック固定部材がＬ型支持ロッドＢに設けられロックフックの位置と対応することで、前記ロックフックがトーションスプリングのトルクに付勢されてロック固定部材と係着ロックされる組立てやすい折り畳みベッド。
【０００４】
改善としては、前記Ｃ型緊結材Ａの頂部はベッドのサイドロッドと係着されるＣ型溝Ａであり、その底部は支持脚ドＡと挿着される円筒溝Ａであり、その内側にＬ型支持ロッドＡと連結される係着溝Ａが設けられており、前記係着溝Ａは側面板が三角形の形状に設けられる中空の台形溝であり、前記Ｌ型支持ロッドの端部と挿嵌固着される。
【０００５】
改善としては、前記Ｃ型緊結材Ｂの頂部はベッドのサイドロッドと係着されるＣ型溝Ｂであり、その底部は支持脚Ｂと挿着される円筒型溝Ｂであり、その内側にＬ型支持ロッドＢと連結される係着溝Ｂが設けられており、前記係着溝Ｂは側面板が２つのＣ型プレートが連結されるように設けられた中空溝であり、Ｃ型溝Ｂに近接する一端に、Ｌ型支持ロッドＢとヒンジ接合されるためのヒンジ接合孔Ａが設けられており、他端に、ロックフック、トーションスプリングとヒンジ接合されるためのヒンジ接合孔Ｂが設けられている。
【０００６】
改善としては、前記Ｃ型緊結材Ａ、Ｃ型緊結材Ｂ中のＣ型溝Ａ、Ｃ型溝Ｂが前記ベッドのサイドロッドに係合され、その切り欠きが、それぞれ、Ｃ型緊結材Ａ、Ｃ型緊結材ＢにおけるＬ型支持ロッドＡ、Ｌ型支持ロッドＢから離れる一端に向かう。
【０００７】
改善としては、前記支持ロッドＡ及び前記支持脚Ｂは互いに平行である円筒状であり、その底部にすべて滑り止めマットが設けられている。
【０００８】
改善としては、前記Ｌ型支持ロッドＡ及び前記Ｌ型支持ロッドＢは中空構造であり、その内部が弾性糸を介して挿着され、前記Ｌ型支持ロッドＡの端部にＬ型支持ロッドＢと連結される挿入ロッド端が設けられている。
【０００９】
改善としては、前記第１部材及び前記第２部材がベッドのサイドロッドと垂直である同一平面上に配置される。
【００１０】
以上の構造を用いた後、本考案は下記のメリットを有する。本考案は構造が簡単であり、使用材料が少なく、重さがより軽く、消費者が携帯しやすくなる。Ｌ型支持ロッドＢとヒンジ接合されたＣ型緊結材Ｂが回転することで、梃子の原理を用いてＣ型緊結材ＡとＣ型緊結材Ｂ間の間隔を変更することを実現させ、ベッド上面をぴんと張る。ロックフックがトーションスプリングを介して自動的にロック固定部材を引っ掛けてロックを実現することができ、消費者はベッド上面をぴんと張ってロックしやすくなる。ロックフックを動かしてトーションばねのトルクに打ち勝った後回転点を中心に回転させることにより、ロックフックとロック固定部材が脱離し、ベッド上面の下の脚部材を手軽に取り外して折り畳み、包装の体積を縮小することができる。
【図面の簡単な説明】
【００１１】
【図１】本考案に係る組立てやすい折り畳みベッドの概略構成図である。
【図２】本考案に係る組立てやすい折り畳みベッドにおける脚部材の概略構成図である。
【図３】本考案に係る組立てやすい折り畳みベッドにおける脚部材の未係止状態を示す概略構成図である。
【図４】本考案に係る組立てやすい折り畳みベッドにおける脚部材の係止状態を示す概略構成図である。
【図５】本考案に係る組立てやすい折り畳みベッドにおける脚部材のロック状態を示す断面図である。
【図６】本考案に係る組立てやすい折り畳みベッドにおける脚部材のロック解除状態を示す断面図である。
【図７】本考案に係る組立てやすい折り畳みベッドにおける脚部材の折り畳み状態を示す概略構成図である。
【考案を実施するための形態】
【００１２】
添付図面１〜７を参照する。ベッド上面１と、ベッドのサイドロッドＢと、脚部材３と、を備える組立てやすい折り畳みベッドであって、前記ベッドのサイドロッドＢが平行してベッド上面１の長辺の両側に設けられるとともにそれと接続され、前記脚部材３が複数組であり、均一にベッド上面１の下に設けられるとともにベッドのサイドロッドＢと係着され、対向して設けられ接続される第１部材３．１と、第２部材３．２と、を備え、前記第１部材３．１がＣ型緊結材Ａ３．１１と、Ｃ型緊結材Ａ３．１１の一側に固定連結されるＬ型支持ロッドＡ３．１２と、Ｃ型緊結材Ａ３．１１の底部に連結される支持脚Ａ３．１３と、を備え、前記第２部材３．２がＣ型緊結材Ｂ３．２１と、Ｃ型緊結材Ｂ３．２１の一側にヒンジ接合されるＬ型支持ロッドＢ３．２２と、Ｃ型緊結材Ｂ３．２２の底部に連結される支持脚Ｂ３．２３と、を備え、前記Ｌ型支持ロッドＡ３．１２とＬ型支持ロッドＢ３．２２の対向する一端が弾性糸３．３を介して連結され、前記第２部材３．２に、ロック固定部材３．４と、ロックフック３．５と、トーションスプリング３．６とがさらに設けられており、前記Ｃ型緊結材Ｂ３．２１の頂部とＬ型支持ロッドＢ３．２２の端部がヒンジ接合され、その底部にトーションスプリング３．６を介してロックフック３．５がヒンジ接合されており、前記ロック固定部材３．４がＬ型支持ロッドＢ３．２２に設けられロックフック３．５の位置と対応することで、前記ロックフック３．５がトーションスプリング３．６のトルクに付勢されてロック固定部材３．４と係着ロックされる組立てやすい折り畳みベッド。
【００１３】
好ましい実施の形態としては、前記Ｃ型緊結材Ａ３．１１の頂部はベッドのサイドロッドと係着されるＣ型溝Ａ３．１１ａであり、その底部は支持脚Ａ３．１３と挿着される円筒溝Ａ３．１１ｂであり、その内側にＬ型支持ロッドＡ３．１２と連結される係着溝Ａ３．１１ｃが設けられており、前記係着溝Ａ３．１１ｃは側面板が三角形の形状に設けられる中空の台形溝であり、前記Ｌ型支持ロッドＡ３．１２の端部と挿嵌固着される。
【００１４】
好ましい実施の形態としては、前記Ｃ型緊結材Ｂ３．２１の頂部はベッドのサイドロッドＢと係着されるＣ型溝Ｂ３．２１ａであり、その底部は支持脚Ｂ３．２３と挿着される円筒溝Ｂ３．２１ｂであり、その内側にＬ型支持ロッドＢ３．２２と連結される係着溝Ｂ３．２１ｃが設けられており、前記係着溝Ｂ３．２１ｃは側面板が２つのＣ型プレートが連結されるように設けられた中空溝であり、Ｃ型溝Ｂ３．２１ａに近接する一端に、Ｌ型支持ロッドＢ３．２２とヒンジ接合されるためのヒンジ接合孔Ａ３．２１ｄが設けられており、他端に、ロックフック３．５、トーションスプリング３．６とヒンジ接合されるためのヒンジ接合孔Ｂ３．２１ｅが設けられている。
【００１５】
好ましい実施の形態としては、前記Ｃ型緊結材Ａ３．１、Ｃ型緊結材Ｂ３．２中のＣ型溝Ａ３．１１、Ｃ型溝Ｂ３．２１が前記ベッドのサイドロッドＢに係合され、その切り欠きが、それぞれ、Ｃ型緊結材Ａ３．１１、Ｃ型緊結材Ｂ３．２１におけるＬ型支持ロッドＡ３．１２、Ｌ型支持ロッドＢ３．２２から離れる一端に向かう。
【００１６】
好ましい実施の形態としては、前記支持脚Ａ３．１３及び前記支持脚Ｂ３．２３は互いに平行である円筒状であり、その底部にすべて滑り止めマット３．７が設けられている。
【００１７】
好ましい実施の形態としては、前記Ｌ型支持ロッドＡ３．１２及び前記Ｌ型支持ロッドＢ３．２２は中空構造であり、その内部が弾性糸３．３を介して挿着され、前記Ｌ型支持ロッドＡ３．１２の端部にＬ型支持ロッドＢ３．２２と連結される挿入ロッド端３．１２ａが設けられている。
【００１８】
好ましい実施の形態としては、前記第１部材３．１及び前記第２部材３．２がベッドのサイドロッドＢと垂直である同一平面上に配置される。
【００１９】
本考案は、具体的に実施される場合、ベッドのサイドロッドを係着溝内に置き、添付図面３に示すように、右側の空白の矢印方向が力の作用方向であり、第２部材における支持脚Ｂに内向きの圧力を加え、Ｃ型緊結材ＢとＬ型支持ロッドＢとのヒンジ接合点を巡ってＣ型緊結材Ｂを回転させ、Ｃ型緊結材ＡとＣ型緊結材Ｂとの間隔を大きくし、ベッドのサイドロッドに付勢し展開させて、ベッド上面ををぴんと張り、ロックフックがトーションスプリングのトルクを介してロック固定部材を引っ掛けてロックし、折り畳みベッドの組立てが完成する。取り外す場合、ロックフックを動かしてトーションスプリングのトルクに打ち勝った後回転点を中心に回転させ、ロックフックとロック固定部材が脱離し、完成後に、第２部材における支持脚Ｂに外向きの圧力を加え、Ｃ型緊結材ＢとＬ型支持ロッドＢとのヒンジ接合点を巡ってＣ型緊結材Ｂを回転させ、Ｃ型緊結材ＡとＣ型緊結材Ｂ間の間隔を小さくし、ベッドのサイドロッドを係着溝から脱離させて、脚部材のロック解除及びベッド上面から取り外すことを実現させる。本考案は構造が簡単であり、使用材料が少なく、重さが軽く、取り外しやすく、ベッド上面をぴんと張ることを実現でき、脚部材をベッド上面から取り外した後、Ｌ型支持ロッドＡをＬ型支持ロッドＢから引き抜いて２つに折り畳み、部品の体積を縮小し、ベッドの包装体積を減らすことを実現する。
【００２０】
以上、本考案及びその実施の態様を説明したが、この説明は制限性を有せず、添付図面に示すのも本考案の実施の態様の１つに過ぎず、実際の構造はこれに制限されるものではない。つまり、当業者が示唆されて、本考案の要旨を逸脱することなく、創造性なしで設計された、前記技術方案と同様な構造方式及び実施の態様は、すべて本考案の保護範囲に属すべきである。
【符号の説明】
【００２１】
１    ベッド上面
２    ベッドのサイドロッド
３    脚部材
３．１    第１部材
３．１１    Ｃ型緊結材Ａ
３．１１ａ    Ｃ型溝Ａ
３．１１ｂ    円筒溝Ａ
３．１１ｃ    係着溝Ａ
３．１２    Ｌ型支持ロッドＡ
３．１２ａ    挿入ロッド端
３．１３    支持脚Ａ
３．２    第２部材
３．２１    Ｃ型緊結材Ｂ
３．２１ａ    Ｃ型溝Ｂ
３．２１ｂ    円筒溝Ｂ
３．２１ｃ    係着溝Ｂ
３．２１ｄ    ヒンジ接合孔Ａ
３．２１ｅ    ヒンジ接合孔Ｂ
３．２２    Ｌ型支持ロッドＢ
３．２３    支持脚Ｂ
３．４    ロック固定部材
３．５    ロックフック
３．６    トーションスプリング
３．７    滑り止めマット
【図１】
0003225623.tif 000003
【図２】
0003225623.tif 000004
【図３】
0003225623.tif 000005
【図４】
0003225623.tif 000006
【図５】
0003225623.tif 000007
【図６】
0003225623.tif 000008
【図７】
0003225623.tif 000009
【手続補正書】
【提出日】令和2年1月15日(2020.1.15)
【手続補正１】
【補正対象書類名】実用新案登録請求の範囲
【補正対象項目名】請求項１
【補正方法】変更
【補正の内容】
【請求項１】
ベッド上面と、ベッドのサイドロッドと、脚部材と、を備える組立てやすい折り畳みベッドであって、前記ベッドのサイドロッドが平行してベッド上面の長辺の両側に設けられるとともに前記ベッド上面と接続され、前記脚部材が複数組であり、均一にベッド上面の下に設けられるとともにベッドのサイドロッドと係着され、対向して設けられ接続される第１部材と、第２部材と、を備え、前記第１部材がＣ型緊結材Ａと、Ｃ型緊結材Ａの一側に固定連結されるＬ型支持ロッドＡと、Ｃ型緊結材Ａの底部に連結される支持脚Ａと、を備え、前記第２部材がＣ型緊結材Ｂと、Ｃ型緊結材Ｂの一側にヒンジ接合されるＬ型支持ロッドＢと、Ｃ型緊結材Ｂの底部に連結される支持脚Ｂと、を備え、前記Ｌ型支持ロッドＡとＬ型支持ロッドＢの対向する一端が弾性糸を介して連結され、前記第２部材に、ロック固定部材と、ロックフックと、トーションスプリングとがさらに設けられており、前記Ｃ型緊結材Ｂの頂部とＬ型支持ロッドＢの端部がヒンジ接合され、その底部にトーションスプリングを介してロックフックがヒンジ接合されており、前記ロック固定部材がＬ型支持ロッドＢに設けられロックフックの位置と対応することで、前記ロックフックがトーションスプリングのトルクに付勢されてロック固定部材と係着ロックされることを特徴とする、組立てやすい折り畳みベッド。
【手続補正２】
【補正対象書類名】実用新案登録請求の範囲
【補正対象項目名】請求項２
【補正方法】変更
【補正の内容】
【請求項２】
前記Ｃ型緊結材Ａの頂部がベッドのサイドロッドと係着されるＣ型溝Ａであり、その底部がＬ型支持ロッドＡと挿着される円筒溝Ａであり、その内側にＬ型支持ロッドＡと連結される係着溝Ａが設けられており、前記係着溝Ａが側面板が三角形の形状に設けられる中空の台形溝であり、前記Ｌ型支持ロッドの端部と挿嵌固着されることを特徴とする、請求項１に記載の組立てやすい折り畳みベッド。
【手続補正３】
【補正対象書類名】実用新案登録請求の範囲
【補正対象項目名】請求項４
【補正方法】変更
【補正の内容】
【請求項４】
前記Ｃ型緊結材Ａ、Ｃ型緊結材Ｂ中のＣ型溝Ａ、Ｃ型溝Ｂが前記ベッドのサイドロッドに係合され、Ｃ型溝Ａの切り欠きが、それぞれ、Ｃ型緊結材Ａ、Ｃ型緊結材ＢにおけるＬ型支持ロッドＡ、Ｌ型支持ロッドＢから離れる一端に向かうことを特徴とする、請求項１に記載の組立てやすい折り畳みベッド。